(57)【特許請求の範囲】
【請求項１】
柔軟な弾性材料からなる基板と、該基板の内側面から下方に突出する複数の押圧突起と、該基板の外側面に設けられた挟込み把持部とを備えており、指と指との間の指股部に前記挟込み把持部を挟み込んだ状態で、掌に装着して用いる頭皮マッサージ具であって、
前記基板には、当該基板の周縁部から前記挟込み把持部に向って切り込まれた切込み部が形成されており、
前記挟込み把持部が、扁平な縦長の断面形状を備える板状部となっており、該板状部の縦長方向延長上に前記切込み部が形成されている頭皮マッサージ具。
【請求項２】
前記基板は、湾曲するドーム形状を備えている請求項１記載の頭皮マッサージ具。
【請求項３】
前記切込み部は、周方向に間隔をおいて少なくとも３箇所に形成されている請求項１又は２記載の頭皮マッサージ具。
【請求項４】
前記挟込み把持部が、扁平な縦長の断面形状を備える板状部となっており、該板状部の縦長方向を挟んだ両側に、該縦長方向と交差する方向に延設して一対の前記切込み部が形成されている請求項１〜３の何れか１項記載の頭皮マッサージ具。
【請求項５】
前記板状部となっている前記挟込み把持部の基端部における前記縦長方向の長さが、前記人さし指と中指との間の指股部の付け根から第２間接部までの長さに対応する長さとなっている請求項１〜４の何れか１項記載の頭皮マッサージ具。
【請求項６】
前記切込み部が、前記基板の周縁部から前記挟込み把持部に向って切込み幅を減少させた、略Ｖ字形状となるように形成されている請求項１〜５の何れか１項記載の頭皮マッサージ具。
【請求項７】
前記基板の内側面から下方に突出する複数の押圧突起の先端を連ねた仮想の頭皮当接面が、頭部の湾曲形状に沿った凹状の曲面形状を備えている請求項１〜６の何れか１項記載の頭皮マッサージ具。
【請求項８】
前記基板と、前記複数の押圧突起と、前記挟込み把持部とが、柔軟な弾性材料を用いて一体成形されている請求項１〜７の何れか１項記載の頭皮マッサージ具。
【発明の詳細な説明】
【技術分野】
【０００１】
本発明は、頭皮マッサージ具に関し、特に基板と、基板の内側面に設けられた複数の押圧突起と、基板の外側面に設けられた把持部とを備えるマッサージ具に関する。
【背景技術】
【０００２】
身体の四肢やその他の部位に対するマッサージ方法として、一般に圧迫法（身体を押すマッサージ方法）、強擦法（身体を擦るマッサージ方法）、揉捏法（身体を揉むマッサージ方法）、軽擦法（身体を撫でるマッサージ方法）、打突法（身体を叩くマッサージ方法）等が知られており、これらは、例えば身体の皮膚に指を押し当てて、圧迫したり、擦り付けたり、揉み解したりすることで、例えば血液の流れを促進して、疲労の回復や予防を図るものである。
【０００３】
また特に、身体の頭部には、多くのツボが存在していることから、頭皮をマッサージすることで、疲労した脳や目に刺激を与えて、疲労を回復させたりリラックス感を与えたりすることが可能になる。
【０００４】
このような頭皮に対するマッサージは、指先で行われることが多いが、例えば整髪や洗髪を行う際に、これらの整髪や洗髪と同時に頭部へのマッサージ効果を得ることが可能なヘアブラシが知られている（例えば、特許文献１、特許文献２参照）。特許文献１のヘアブラシは、把持片を備える曲面状に湾曲する扁平な椀状の基板の下面に、多数のブラシ突起を突設させたものである。特許文献２のヘアブラシは、柔らかい材質のブラシ本体と硬い材質のブラシ本体との二重構造とすることで、ブラシ突起によって指先に近い弾力と感触が得られるようにしたものである。
【先行技術文献】
【特許文献】
【０００５】
【特許文献１】実開昭５５−２７４２２号公報
【特許文献２】実用新案登録第３０９８０１１号公報
【発明の概要】
【発明が解決しようとする課題】
【０００６】
しかしながら、特許文献１や特許文献２のヘアブラシでは、圧迫法や強擦法や軽擦法や打突法による頭皮へのマッサージを行うことは可能であるが、揉捏法による頭皮へのマッサージを行うことは困難である。
【０００７】
本発明は、圧迫法や強擦法や軽擦法や打突法によるマッサージに加えて、揉捏法による頭皮へのマッサージを効果的に行うことのできる頭皮マッサージ具を提供することを目的とする。
【課題を解決するための手段】
【０００８】
本発明は、柔軟な弾性材料からなる基板と、該基板の内側面から下方に突出する複数の押圧突起と、該基板の外側面に設けられた挟込み把持部とを備えており、指と指との間の指股部に前記挟込み把持部を挟み込んだ状態で、掌に装着して用いる頭皮マッサージ具であって、前記基板には、当該基板の周縁部から前記挟込み把持部に向って切り込まれた切込み部が形成されている頭皮マッサージ具を提供することにより、上記目的を達成したものである。
【発明の効果】
【０００９】
本発明の頭皮マッサージ具によれば、圧迫法や強擦法や軽擦法や打突法によるマッサージに加えて、揉捏法による頭皮へのマッサージを効果的に行うことができる。
【図面の簡単な説明】
【００１０】
【図１】本発明の好ましい第１実施形態に係る頭皮マッサージ具を斜め上方から見た斜視図である。
【図２】本発明の好ましい第１実施形態に係る頭皮マッサージ具を斜め下方から見た斜視図である。
【図３】頭皮マッサージ具を弾性変形させて揉捏法によるマッサージを行う一形態を例示する斜視図である。
【図４】頭皮マッサージ具を弾性変形させて揉捏法によるマッサージを行う他の形態を例示する斜視図である。
【図５】本発明の好ましい第２実施形態に係る頭皮マッサージ具を斜め下方から見た斜視図である。
【図６】本発明の好ましい第３実施形態に係る頭皮マッサージ具を斜め下方から見た斜視図である。
【図７】本発明の好ましい第４実施形態に係る頭皮マッサージ具を斜め下方から見た斜視図である。
【図８】円錐台状押圧突起の正面図である。
【図９】円錐台状押圧突起の（ａ）は斜視図、（ｂ）は上面図である。
【図１０】頭皮圧迫用押圧突起の（ａ）は正面図、（ｂ）は上面図である。
【発明を実施するための形態】
【００１１】
図１及び図２に示す本発明の好ましい第１実施形態に係る頭皮マッサージ具１０は、掌に装着した状態で（図３、図４参照）、押圧突起１２，１３，１４を頭皮（図示せず）に押し付けたり、頭皮に擦り付けたり、頭皮に撫で付けたり、頭皮を叩いたりすることで、押圧突起１２，１３，１４によって頭皮を刺激して、圧迫法や強擦法や軽擦法や打突法による頭皮へのマッサージを効果的に行える。また本第１実施形態の頭皮マッサージ具１０は、基板１１が、掌や掌の指の動きに合わせて容易に曲折変形できるので、押圧突起１２，１３，１４により頭皮を揉み解して、揉捏法による頭皮へのマッサージも効果的に行える。
【００１２】
本第１実施形態の頭皮マッサージ具１０は、柔軟な弾性材料からなる基板１１と、基板１１の内側面から下方に突出する複数の押圧突起１２，１３，１４と、基板１１の外側面に設けられた挟込み把持部１５とを備えており、指と指（例えば人さし指と中指）との間の指股部に挟込み把持部１５を挟み込んだ状態で、掌に装着して用いるマッサージ具であって（図３、図４参照）、基板１１に、当該基板１１の周縁部から挟込み把持部１５に向って切り込まれた切込み部１６ａ，１６ｂが形成されている。
【００１３】
本第１実施形態では、頭皮マッサージ具１０は、柔軟な弾性材料として、例えばスチレン系、ポリエステル系、オレフィン系、ウレタン系等のエラストマー樹脂等を用いて、好ましくは基板１１と、複数の押圧突起１２，１３，１４と、挟込み把持部１５とを一体成形することにより形成されている。これによって基板１１は、柔軟な弾性材料からなる。基板１１が柔軟な弾性材料からなっていることにより、基板１１に形成された切込み部１６ａ，１６ｂによる作用と相俟って、基板１１を掌や掌の指の動きに合わせて、スムーズに弾性変形させることが可能になる。
【００１４】
ここで、基板１１を構成する柔軟な弾性材料は、掌による握力によって容易に弾性変形できる程度の弾力性を備える弾性材料であり、５〜５０Ｍｐａの弾力性を備える弾性材料である。また、柔軟な弾性材料は、１０〜４０Ｍｐａの弾力性を備えていることが好ましく、１３〜３５Ｍｐａの弾力性を備えていることが更に好ましく、１５〜３０Ｍｐａの弾力性を備えていることが特に好ましい。
【００１５】
本第１実施形態では、基板１１は、好ましくは掌に略収まる程度の大きさ及び形状として、例えば直径が８０〜１００ｍｍ程度の円形の平面形状を備えるように形成される。また、基板１１は、例えば２〜６ｍｍ程度の肉厚を有すると共に、例えば８０〜４００ｍｍ程度の曲率半径で湾曲するドーム形状の外郭部として形成される。これらによって、頭皮マッサージ具１０を掌に装着した際に、基板１１の外周面に掌をフィットさせ易くして、掌の動きを当該基板１１や複数の押圧突起１２，１３，１４に効率良く伝達させることが可能になる。
【００１６】
また、本第１実施形態では、基板１１には、当該基板１１の周縁部から挟込み把持部１５に向って切り込まれた切込み部１６ａ，１６ｂが、周方向に間隔をおいて３箇所（少なくとも３箇所）に形成されている。本第１実施形態では、切込み部１６ａ，１６ｂは、その中心線間の角度が１２０°となるように、周方向に等角度間隔をおいて形成されている。本第１実施形態では、切込み部１６ａ，１６ｂは、各々、基板１１の周縁部から挟込み把持部１５に向って切込み幅を減少させた、略Ｖ字形状となるように形成されている。本第１実施形態では、第１切込み部１６ａは、後述する挟込み把持部１５の扁平な縦長の断面形状の縦長方向延長上に形成されている。第２切込み部１６ｂは、後述する挟込み把持部１５の扁平な縦長の断面形状の縦長方向を挟んだ両側に、この縦長方向と交差する方向に延設して一対形成されている。
【００１７】
基板１１の内側面から下方に突出する複数の押圧突起１２，１３，１４は、本第１実施形態では、外縁部円柱状押圧突起１２と、中間部円錐状押圧突起１３と、中央部王冠状押圧突起１４とからなる。
【００１８】
外縁部円柱状押圧突起１２は、主として毛根やツボなどを刺激する機能を備える突起であって、基板１１の内側面の外周縁部に沿って間隔をおいて複数配設される。本第１実施形態では、外縁部円柱状押圧突起１２は、先端側に向って徐々に縮径する略円柱形状を備える。また外縁部円柱状押圧突起１２は、先端外周縁部のリング状の突起との間にリング状凹溝１２ａを介在させて、先端中央部に中央小突起１２ｂがさらに突出する、２重の突起構造を備える。外縁部円柱状押圧突起１２が先端に２重の突起構造を備えていることにより、頭皮に押圧させることによるマッサージ効果と毛穴を刺激する効果が同時に発揮されて、効率良く且つ効果的にマッサージを行うことが可能になる。
【００１９】
中間部円錐状押圧突起１３は、主として頭皮を刺激する機能を備える突起であって、基板１１の内側面の外縁部円柱状押圧突起１２と中央部王冠状押圧突起１４との間の中間部分に分散して、複数配設される。外縁部円柱状押圧突起１２は、円錐形状を備えると共に、その先端が球状に面取りされている。
【００２０】
中央部王冠状押圧突起１４は、主として毛穴を刺激すると共に、頭皮を圧迫する（指圧する）機能を備える突起であって、後述する挟込み把持部１５の直下部分に配設されて、基板１１の内側面の中央部分に１箇所配設される。中央部王冠状押圧突起１４は、先端が開口端面となった円筒壁１４ａと、この円筒壁１４ａの円環状の端面からさらに突出して設けられた、環状に連設する多数の端面小突起１４ｂとからなる２段の突起構造を備える。中央部王冠状押圧突起１４が円筒壁１４ａと多数の端面小突起１４ｂとからなる２段の突起構造を備えていることにより、小突起１４ｂが変形しにくくなり、挟込み把持部１５から中央部王冠状押圧突起１４に押圧力を効率良く伝達でき、頭皮に対して適度な刺激を与えることが可能になる。
【００２１】
また、本第１実施形態では、基板１１の内側面から下方に突出するこれらの複数の押圧突起１２，１３，１４の先端を連ねた仮想の頭皮当接面が、頭部の湾曲形状に沿うように、凹状の曲面形状を備える。複数の押圧突起１２，１３，１４の先端を連ねた仮想の頭皮当接面が、頭部の湾曲形状に沿うように、凹状の曲面形状を備えていることにより、押圧突起１２，１３，１４の全体が略まんべんなく頭皮にあたることで頭皮にフィットし易くなって、頭皮へのマッサージをさらに効果的に行うことが可能になる。
【００２２】
基板１１の外側面から突出して設けられた挟込み把持部１５は、本第１実施形態では、扁平な縦長の断面形状を備える板状部となっている。挟込み把持部１５が、扁平な縦長の断面形状を備える板状部となっていることにより、当該挟込み把持部１５を指と指との間（例えば人さし指と中指との間）の指股部に相当の長さに亘って添わせるように挟み込んで、頭皮マッサージ具１０を掌により安定した状態で装着させることが可能になる。
【００２３】
また、本第１実施形態では、板状部となっている挟込み把持部１５の基端部における縦長方向の長さＬ（図１参照）が、人さし指と中指との間の指股部の付け根から第２間接部までの長さに対応し、指股部の付け根から第２間接部までの、成人の平均的な長さと略等しいか、若しくはこれよりも若干短い長さとなっている。挟込み把持部１５の縦長方向の長さが指股部の付け根から第２間接部までの長さに対応する長さとなっていることにより、当該挟込み把持部１５を指股部によって挟み込んだ状態を保持したまま、人さし指及び中指指の第２間接部よりも先の部分を折り曲げることによって、基板１１を曲折変形させる操作（図４参照）をスムーズに行うことが可能になる。
【００２４】
さらに、本第１実施形態では、挟込み把持部１５の上端部から外方に張り出して、指掛けつば部１７が設けられている。指掛けつば部１７が設けられていることにより、頭皮マッサージ具１０を掌に装着して行なう頭皮へのマッサージ中に、人さし指及び中指の背側を当該指掛けつば部１７に係止させて、例えば基板１１を曲折変形させながら揉捏法による頭皮へのマッサージを行う際に、指股部が挟込み把持部１５から抜け出ないようにして、より安定した状態でマッサージを行えるようにすることが可能になる。
【００２５】
そして、本第１実施形態では、基板１１に形成された３箇所の切込み部１６ａ，１６ｂの内の１箇所の第１切込み部１６ａが、挟込み把持部１５の扁平な縦長の断面形状の縦長方向延長上に設けられている。挟込み把持部１５の扁平な縦長の断面形状の縦長方向延長上に、第１切込み部１６ａが設けられていることにより、図３に示すように、頭皮マッサージ具１０を掌に装着した状態で、例えば親指と小指との間隔を狭めるように掌を動かせば、これに伴って、第１切込み部１６ａを折曲げ中心として、これの両側の部分の当該第１切込み部１６ａと第２切込み部１６ｂとの間の部分の基板１１ａが、押圧突起１２，１３が突出する内側面を対向させるようにしながらこれらを近づけるようにして容易に曲折変形するので、このような基板１１ａの曲折変形によって、頭皮を揉み解すマッサージを効果的に行うことが可能になる。
【００２６】
また、本第１実施形態では、基板１１に形成された３箇所の切込み部１６ａ，１６ｂの内の一対の第２切込み部１６ｂが、挟込み把持部１５の扁平な縦長の断面形状の縦長方向を挟んだ両側に、この縦長方向と交差する方向に延設して設けられている。挟込み把持部１５の扁平な縦長の断面形状の縦長方向を挟んだ両側に、この縦長方向と交差する方向に延設して一対の第２切込み部１６ｂが設けられていることにより、図４に示すように、頭皮マッサージ具１０を掌に装着した状態で、例えば人さし指と中指と薬指の第２間接部よりも先の部分を折り曲げれば、これに伴って、両側の第２切込み部１６ｂの間の部分を折曲げ中心として、これらによって挟まれる先端側部分の基板１１ｂが、押圧突起１２，１３が突出する内側面を内側下方に折り込むようにしながら容易に曲折変形するので、このような基板１１ｂの曲折変形によって、頭皮を揉み解すマッサージを効果的に行うことが可能になる。
【００２７】
上述の構成を備える本第１実施形態の頭皮マッサージ具１０によれば、好ましくは人さし指と中指との間の指股部に挟込み把持部１５を挟み込んで、頭皮マッサージ具１０を掌に装着した状態で、例えば、基板１１の内側面から下方に突出する押圧突起１２，１３，１４の先端を頭皮に当接させると共に、頭皮マッサージ具１０を頭皮に押し付けたり押し付けを開放したりする操作を繰り返すことによって、圧迫法によるマッサージを行うことが可能になる。例えば押圧突起１２，１３，１４の先端を頭皮に軽く当接させると共に、頭皮マッサージ具１０を頭皮に沿って横移動させることによって、軽擦法によるマッサージを行うことが可能になる。例えば押圧突起１２，１３，１４の先端を頭皮に強く当接させると共に、頭皮マッサージ具１０を頭皮に沿って横移動させることによって、強擦法によるマッサージを行うことが可能になる。例えば頭皮マッサージ具１０を掌に装着した状態で、マッサージ具１０を頭皮に向けて叩くようにして上下に繰り返し動かせば、打突法によるマッサージを行うことが可能になる。
【００２８】
また、好ましくは人さし指と中指との間の指股部によって挟込み把持部１５を挟み込んで、頭皮マッサージ具１０を掌に装着した状態で、基板１１の内側面から下方に突出する押圧突起１２，１３，１４の先端を頭皮に当接させると共に、上述のように、親指と小指との間隔を狭めるように掌を繰り返し動かしたり（図３参照）、人さし指と中指と薬指の第２間接部よりも先の部分を繰り返したり折り曲げたり（図４参照）、或いはこれらの操作を同時に行ったりすることで、頭皮を容易に揉み解して、揉捏法による頭皮へのマッサージを効果的に行うことが可能になる。
【００２９】
したがって、本第１実施形態の頭皮マッサージ具１０によれば、圧迫法や強擦法や軽擦法や打突法によるマッサージに加えて、揉捏法による頭皮へのマッサージを効果的に行うことが可能になる。
【００３０】
図５は、本発明の好ましい第２実施形態に係る頭皮マッサージ具２０を示すものである。図５に示す第２実施形態のマッサージ具２０は、上記第１実施形態のマッサージ具１０における円柱状押圧突起１２の代わりに、図８及び図９（ａ）、（ｂ）に示す形態の円錐台状押圧突起１８を有すること以外は、上記第１実施形態のマッサージ具１０と同様の構造を有している。従って、本第２実施形態のマッサージ具２０については、上記第１実施形態のマッサージ具１０との相違点について主に説明し、同様の点については同一の符号を付して説明を省略する。特に説明しない点については、上述したマッサージ具１０についての説明（より好ましい構成の説明も含む）が適宜適用される。
【００３１】
本第２実施形態のマッサージ具２０では、基板１１の外周縁部に設けられた円錐台状押圧突起１８は、主として毛根やツボなどを刺激する機能を備える突起であって、基板１１の内側面の外周縁部に沿って間隔をおいて複数配設される。円錐台状押圧突起１８は、図８及び図９（ａ）、（ｂ）に示すように、円錐台状の基部１８ａと、基部１８ａの先端面に設けられた、第１先端突起１８ｂ及び複数の第２先端突起１８ｃとからなる。第１先端突起１８ｂは、半球状をなし、円錐台状の基部１８ａの先端面の中央部に配置されている。他方、第２先端突起１８ｃは、略半球状をなすが、より詳細には、根元部が円柱状をなし、先端が半球状の凸曲面に形成されている。また、第２先端突起１８ｃは、第１先端突起１８ｂの周囲を囲むように複数形成されている。第１先端突起１８ｂの周囲を囲む第２先端突起１８ｃの数は、例えば３〜１０個程度とすることができ、４〜１０個とすることが好ましく、５〜８個がより好ましい。複数個の第２先端突起１８ｃは、第１先端突起１８ｂの周囲に略等間隔に配置されていることが好ましい。複数個、特に３個以上の第２先端突起１８ｃを、中央部の第１先端突起１８ｂを囲むように設けることで、ブラシを使用する際のブラシの移動方向によらずに、頭皮を効率良く且つ効果的にマッサージを行うことが可能になる。
【００３２】
第２実施形態における第２先端突起１８ｃは、根元部の太さｄ２が、第１先端突起１８ｂの根元部の太さｄ１よりも小さい（図９（ｂ）参照）。先端突起１８ｂ，１８ｃの太さｄ１，ｄ２は、根元部における断面形状が円形の場合はその直径を、円形以外の場合は断面２次半径の２倍を意味する。また、第２先端突起１８ｃは、第１先端突起１８ｂの周囲に、互いに隣接する第２先端突起１８ｃ同士間の根元部における間隔Ｓ３を０．３〜２ｍｍ、頂部における間隔Ｓ４を２．５〜４ｍｍとして配置されていることが好ましい。
【００３３】
第１先端突起１８ｂは、基部１８ａの先端面からの突出高さｈ６と、根元部における太さ（直径）ｄ１との比（ｈ６／ｄ１）が０．３〜０．８５となっていることが好ましく、０．５〜０．７５となっていることがさらに好ましい（図８、図９（ｂ）参照）。また、第２先端突起１８ｃは、基部１８ａの先端面からの突出高さｈ６と、根元部における太さ（直径）ｄ２との比（ｈ６／ｄ２）が０．５〜２．０となっていることが好ましく、０．７〜１．５となっていることがさらに好ましい。
【００３４】
図６は、本発明の好ましい第３実施形態に係る頭皮マッサージ具３０を示すものである。本第３実施形態のマッサージ具３０は、上記第２実施形態のマッサージ具２０における中央部王冠状押圧突起１４の代わりに、図１０（ａ）、（ｂ）に示す形態の頭皮圧迫用の突起（以下、頭皮圧迫用押圧突起）１９を有する以外は、第２実施形態のマッサージ具２０と同様の構造を有している。従って、本第３実施形態のマッサージ具３０については、上記第１実施形態及び上記第２実施形態のマッサージ具１０，２０との相違点について主に説明し、同様の点については同一の符号を付して説明を省略する。特に説明しない点については、上述したマッサージ具１０，２０についての説明（より好ましい構成の説明も含む）が適宜適用される。
【００３５】
本第３実施形態のマッサージ具３０では、挟込み把持部１５の直下部分の基板１１の内側面に、中央部王冠状押圧突起１４に代えて、３体の頭皮圧迫用押圧突起１９が、正三角形の各角部に対応する位置に配設されて設けられている。頭皮圧迫用押圧突起１９は、図１０（ａ）、（ｂ）に示すように、先端部分１９ａを半球状に丸めた円柱状の形態を有している。頭皮圧迫用押圧突起１９は、根元部や高さ方向中央部等における横断面の面積が、基板１１の外周縁部に設けられた円錐台状押圧突起１８よりも大きく、円錐台状押圧突起１８よりも曲がりにくく形成されている。
【００３６】
また、頭皮圧迫用押圧突起１９は、半球状の先端部分１９ａに隣接する部位の直径Ｌ２（又は円相当径）が、根元部における直径Ｌ１（又は円相当径）の５０％超であることが好ましく、より好ましくは６０％以上１００％未満、更に好ましくは７０％以上１００％未満であり、一層好ましくは７０％以上９９％以下である。錐体状突起である頭皮圧迫用押圧突起１９は、図１０（ａ）、（ｂ）に示すように、半球状の先端部分１９ａに隣接する部位の直径Ｌ２（又は円相当径）が、根元部における直径Ｌ１（又は円相当径）より小さいことが好ましい。半球状の先端部分１９ａに隣接する部位の直径Ｌ２（又は円相当径）と、根元部における直径Ｌ１（又は円相当径）との比の上限を１００％未満にすることで、頭皮圧迫用押圧突起１９を成形する際に金型からの分離がしやすくなる。
【００３７】
頭皮圧迫用押圧突起１９が、挟込み把持部１５の直下部分に配設されていることで、当該頭皮圧迫用押圧突起１９によって、頭皮を強く圧迫することができ、その状態でブラシを動かすことにより、指圧のように、頭部のツボを刺激することができるといった効果（指圧効果）も得られ、効率良く且つ効果的にマッサージを行うことが可能になる。
【００３８】
図７は、本発明の好ましい第４実施形態に係る頭皮マッサージ具４０を示すものである。本第４実施形態のマッサージ具４０は、基板１１の内側面の外周縁部に頭皮圧迫用押圧突起１９が、中央部に円錐台状押圧突起１８が配設されることにより、上記第３実施形態のマッサージ具３０と違った感触でマッサージを行うことが可能になる。
【００３９】
なお、本発明は上記各実施形態に限定されることなく種々の変更が可能である。例えば、基板の周縁部から挟込み把持部に向って切り込まれた切込み部は、基板の周縁部から挟込み把持部に向って切込み幅を減少させた、略Ｖ字形状となるように形成されている必要は必ずしもなく、スリット状の切込み部等であってもよい。切込み部は、揉み易さなどを考慮すると、基板に３箇所あるいは、それ以上の数形成されていることが好ましいが、少なくとも１箇所に形成されていれば良い。基板に切込み部が１箇所のみ形成されている場合でも、例えば図３に示すように、親指と小指との間隔を狭めるように掌を動かして、揉捏法による頭皮へのマッサージを効果的に行うことが可能である。
【００４０】
また、挟込み把持部は、扁平な縦長の断面形状を備える板状部となっている必要は必ずなく、例えば円柱突起状の把持部等であっても良い。挟込み把持部が扁平な板状部となっていなくても、基板に形成された切込み部の位置に対応するように、掌に頭皮マッサージ具を適宜位置決めして装着することで、図３や図４に示すような揉捏法による頭皮へのマッサージを効果的に行うことが可能になる。
【００４１】
さらに、基板は、湾曲するドーム形状を備えている必要は必ずしもなく、平坦な形状であっても良い。基板は、円形の平面形状を備えている必要は必ずしもなく、例えば四角形、多角形、長円形、楕円形等の種々の平面形状を備えていても良い。
【符号の説明】
【００４２】
１０，２０，３０，４０  頭皮マッサージ具
１１  基板
１２  外縁部円柱状押圧突起
１２ａ  リング状凹溝
１２ｂ  中央小突起
１３  中間部円錐状押圧突起
１４  中央部王冠状押圧突起
１４ａ  円筒壁
１４ｂ  端面小突起
１５  挟込み把持部
１６ａ  第１切込み部
１６ｂ  第２切込み部
１７  指掛けつば部
１８  円錐台状押圧突起
１９  頭皮圧迫用押圧突起
【図１】
0005860319.tif 000002
【図２】
0005860319.tif 000003
【図３】
0005860319.tif 000004
【図４】
0005860319.tif 000005
【図５】
0005860319.tif 000006
【図６】
0005860319.tif 000007
【図７】
0005860319.tif 000008
【図８】
0005860319.tif 000009
【図９】
0005860319.tif 000010
【図１０】
0005860319.tif 000011